(57)【要約】【課題】少なくとも２個以上の複数個の宝石を使用する装身具において、その機能性と自由性とデザイン性を高め、作業性も大幅に向上することができる装身具を提供する。【解決手段】少なくとも２個以上の宝石を使用する装身具において、貴金属あるいは金属製の台の複数面にあらかじめ孔などの設置場所が設けられていて、孔に接着剤を必要量使用して、宝石を設置した後、宝石の上に透明ガラスを置いて宝石の上部面を整列させ、その後に透明ガラスを固定することによって作られる装身具。【選択図】図１
2014046060.tif 000002
【特許請求の範囲】
【請求項１】
少なくとも２個以上の宝石を使用する装身具において、貴金属あるいは金属製の台の面にあらかじめ孔などの設置場所が設けられていて、その孔に接着剤を必要量使用し、宝石を設置した後、宝石の正面に透明ガラスを置いて宝石の上部面を整列させ、透明ガラスを固定することによって宝石を固定する装身具とその製造方法。
【請求項２】
透明ガラスがサファイヤガラスであることを特徴とする請求項１に記載の装身具。
【請求項３】
透明ガラスに半透明の着色が施された請求項１に記載の装身具。
【請求項４】
宝石が天然及び人工である請求項１に記載の装身具。
【請求項５】
接着剤が硬化後も弾力性のある接着剤である請求項１に記載の装身具。
【請求項６】
接着剤部分が弾力性のある樹脂等を用いた請求項１に記載の装身具。
【発明の詳細な説明】
【技術分野】
【０００１】
この発明は少なくとも２個以上の複数個の宝石を使用する装身具において、その機能性と自由性とデザイン性を高め、作業性も大幅に向上することができる装身具に関するものである。
【背景技術】
【０００２】
装身具において、ダイヤモンドなどの宝石を貴金属の台に固定する場合、貴金属の台に宝石を取り囲むように爪と称される棒形状を付帯させ、宝石を所定の位置に設置した後、棒形状部分を宝石側に曲げて倒し込み宝石を固定している。
【０００３】
しかし、棒形状を貴金属の台に設置し宝石を固定するこの技法では、固定する宝石の数の数倍の棒形状を設置し、曲げていく必要があるため、加工時間が長時間になることや、固定した宝石が装身具の使用中に欠落してしまうという問題などがあった。
【０００４】
このことから、特許３３４１０８２のように、宝石を２枚の板状部分の空間に挟み込む技法などある。
【０００５】
しかしながら、特許３３４１０８２ではあらかじめ宝石を別の固定用個体に設置しておく必要があり、固定作業に多くの時間がかかってしまうという問題がある。
【先行技術文献】
【特許文献】
【０００６】
【特許文献１】特許３３４１０８２
【発明の概要】
【発明が解決しようとする課題】
【０００７】
この発明は前述した問題点を解決するものであり、少なくとも２個以上の複数個の宝石を使用する装身具において、その機能性と自由性とデザイン性を高め、作業性も大幅に向上することができる装身具の製造方法に関するものである。
【課題を解決するための手段】
【０００８】
以上の課題を解決するため、この発明は、少なくとも２個以上の複数個の宝石を使用する装身具において、少なくとも２ヶ所以上の設置箇所か孔が複数面に設けられている貴金属、あるいは金属製の台と、１枚か複数の透明なガラスから成り立っていて、前述の問題点を解決し機能性と自由性とデザイン性を高めることができる装身具の製造方法をすることができることを特徴とするものである。
【０００９】
この発明は、少なくとも２個以上の複数個の宝石を使用する装身具において、宝石の設置が容易で、自由なデザインの装身具を簡単に製造できることを特徴とする。
【００１０】
この発明の装飾体の一部には、貴金属あるいは金属製の台が用いられていて、その台の面には２ヶ所以上の設置箇所か孔が設けられていて、複数の透明なガラスと接着材や樹脂によって宝石が2重に固定されていることを特徴とする。
【発明の効果】
【００１１】
この発明によれば、少なくとも２個以上の複数個の宝石を使用する装身具において、宝石の固定に多くの時間を費やす、宝石が欠落する、デザインの制限が生じるという問題点を取り除き、その機能性と自由性とデザイン性を高め、作業性も大幅に向上することができる装身具の提供をすることが可能となった。
【図面の簡単な説明】
【００１２】
【図１】この発明の全体図である。
【図２】この発明の実施形態を示す図である。
【発明を実施するための形態】
【００１３】
図１は本発明の形態で、少なくとも２個以上の複数個の宝石を使用する装身具である。
図１に示すように、少なくとも２個以上の複数個の宝石を使用する装身具１０は複数面に孔３の設けられた貴金属台１と、宝石５、接着剤６と透明ガラス２から形成されている。
【００１４】
少なくとも２個以上の複数個の宝石を使用する装身具１０の台１は貴金属製か金属製であるので、指輪やペンダントやイヤリング、ブローチ、ブレスレットなど全ての装身具を作ることができる。
【００１５】
装身具１０の台１は、一般的に使用されている素材なので、自由な形状で製作することができ、宝石の設置箇所や孔も自由に作ることができる。
【００１６】
装身具１０に用いられる透明ガラス２は硬質の素材を使用するため、宝石をしっかりと固定することができる。
【００１７】
図２に示すように、装身具１０は台１と透明ガラス２と宝石５、そして宝石を仮止めするための接着剤６で形成されている。
【００１８】
図２のように、装身具１０の台１にはあらかじめ、宝石を設置するための孔などの加工が施されていて、そこに接着剤を入れた後、宝石を設置する。
【００１９】
接着剤は硬化後も弾力性のあるもを用いると、宝石の、特に厚み方向のサイズのバラつきを調整できる。
【００２０】
その後に、硬質の透明ガラス２を台１に設置しすることによって、宝石の上部面がガラス面に接し、複数の宝石の上部の高さを一定に保つことが可能となる。
【００２１】
ガラスを設置した後、倒し込部４をガラス側に倒し込み、透明ガラス２を固定することによって複数の宝石は全て安定して固定される。
【００２２】
また、ガラスは圧入や接着材を使用して固定しても良い。
【００２３】
台１に固定される宝石表面には、一般的に宝石を固定するのに用いられる爪と呼ばれる金属突起がないので、宝石の輝きを損なうことはなく、本来の輝きを得ることができるとともに、宝石の欠落の心配がない。
【００２４】
また、台１に宝石を密集させることによって、実際に使用している宝石よりも大きな宝石として見ることができる。
【００２５】
さらに、台１に固定する宝石に様々な色のついた宝石を使用することによって、文字や図形などを表現することもできる。
【００２６】
そして、台１を裏表や、４角形など複数面とすることもできるので、複数面の宝石の色やデザインを楽しむこともできる。
【００２７】
このような工程を経て製造された装身具１０は、石留めなどの工程を大幅に省くことが可能で、従来になかった斬新なデザインが展開できる機能的なものとなった。
【産業上の利用可能性】
【００２８】
この発明の装身具は、従来のような複雑で難しい宝石を留める工程がないので、製作時間を大幅に削減し、しかも宝石が欠落する心配のない、文字や図形も自在に表現することのできるため、装身具市場に新たに付加価値の高い製品を提供できるものである。
【符号の説明】
【００２９】
１  台１
２  透明ガラス２
３  孔３
４  倒し込部４
５  宝石５
６  接着剤６
【図１】
2014046060.tif 000003
【図２】
2014046060.tif 000004